(57)【特許請求の範囲】
【請求項１】
（ａ）金融機関の顧客が操作して金融取引を行う自動化機器であって、
（ｂ）生体認証情報が登録されたＩＣを備えるＩＣカードの情報の読み取り及び書き込みを行うＩＣカード取扱部と、
（ｃ）前記顧客の生体認証情報を読み取る生体認証情報読取装置とを有し、
（ｄ）前記顧客毎に、所定の期間の取引件数に基づいて前記ＩＣカードの固定の寿命期限までの予想取引件数を算出し、該予想取引件数が所定件数以下であると、前記寿命期限が間近となったと判断し、前記ＩＣカードの情報を新しいＩＣカードに書き込み、ＩＣカードの再発行を行うことを特徴とする生体認証ＩＣカード対応自動化機器。
【請求項２】
前記寿命期限が間近となったＩＣカードの情報を消去し、前記寿命期限が間近となったＩＣカードを回収する請求項１に記載の生体認証ＩＣカード対応自動化機器。
【請求項３】
（ａ）金融機関の顧客が操作して金融取引を行う自動化機器であって、
（ｂ）生体認証情報が登録されたＩＣを備えるＩＣカードの情報の読み取り及び書き込みを行うＩＣカード取扱部と、
（ｃ）前記顧客の生体認証情報を読み取る生体認証情報読取装置とを有し、
（ｄ）前記顧客毎に、所定の期間の取引件数に基づいて前記ＩＣに登録された生体認証情報の有効期限までの予想取引件数を算出し、該予想取引件数が所定件数以下であると、前記有効期限が間近となったと判断し、前記ＩＣに登録された生体認証情報を前記生体認証情報読取装置が読み取った生体認証情報で更新することを特徴とする生体認証ＩＣカード対応自動化機器。
【請求項４】
前記ＩＣに登録された有効期限が間近となった生体認証情報を更新するか否かの確認を求める画面を表示する請求項３に記載の生体認証ＩＣカード対応自動化機器。
【発明の詳細な説明】
【技術分野】
【０００１】
本発明は、生体認証ＩＣカード対応自動化機器に関するものである。
【背景技術】
【０００２】
従来、銀行、郵便局、信用金庫等の金融機関に口座を開設した顧客は、金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動化機器を操作するときには、キャッシュカードを使用するとともに、本人であることを認証するための認証用データとして暗証番号を入力する必要がある。この場合、暗証番号は、一般的に、０から９までの数字のうち、本人があらかじめ選んだ任意の４つの数字の組み合わせによって構成される。
【０００３】
しかし、前述の本人認証方法では、カード携帯者が正当な本人であるか否かを必ずしも正確に把握することができるとはいえないので、近年では、指紋、手のひら静脈パターン等の生物学的特徴を利用して本人を確認するための情報であるバイオメトリクス認証情報、すなわち、生体認証情報に対応した自動化機器が導入されている。該自動化機器では、従来のキャッシュカードに代えて、生体認証情報に対応したＩＣカードを使用して金融取引を行うようになっている（例えば、特許文献１参照。）。
【０００４】
前記ＩＣカードは生体認証情報を暗号化して登録したＩＣを備え、また、前記自動化機器は、金融取引を行う顧客の生体認証情報を取得する手段を備え、該手段によって取得した生体認証情報を前記ＩＣカードに登録された生体認証情報と照合することにより、前記顧客の本人確認を行う。
【特許文献１】特開２０００−９４８７３号公報
【発明の開示】
【発明が解決しようとする課題】
【０００５】
しかしながら、前記従来の生体認証ＩＣカード対応自動化機器においては、生体認証情報を格納したＩＣカードの更新や再発行を行うことができなかったので、前記ＩＣカードの更新や再発行が必要な場合、顧客は金融機関の支店等の窓口に出向かなければならなかった。生体認証情報を格納したＩＣカードの場合、ＩＣカード自体の寿命や、例えば、手のひら静脈パターン等のパターンの経年変化等を考慮して設定された生体認証情報の有効期限のために、ＩＣカード自体や該ＩＣカードに格納された生体認証情報を定期的に更新する必要がある。そのため、顧客は、定期的に金融機関の支店等の窓口に出向いて、前記ＩＣカードの更新又は再発行を依頼しなければならない。この場合、金融機関の支店が開設されている場所が限られており、また、窓口の営業時間内でなければならないので、時間と手間がかかり、顧客は、煩わしく感じてしまう。
【０００６】
本発明は、前記従来の生体認証ＩＣカード対応自動化機器を解決して、生体認証情報を格納したＩＣカードの更新又は再発行を行う手段を有するようにして、顧客は、金融機関の支店等の窓口に出向くことなく、自分で自動化機器を操作することによって、随時、手軽に生体認証情報を格納したＩＣカードの更新又は再発行を行うことができる生体認証ＩＣカード対応自動化機器を提供することを目的とする。
【課題を解決するための手段】
【０００７】
そのために、本発明の生体認証ＩＣカード対応自動化機器においては、金融機関の顧客が操作して金融取引を行う自動化機器であって、生体認証情報が登録されたＩＣを備えるＩＣカードの情報の読み取り及び書き込みを行うＩＣカード取扱部と、前記顧客の生体認証情報を読み取る生体認証情報読取装置とを有し、前記顧客毎に、所定の期間の取引件数に基づいて前記ＩＣカードの固定の寿命期限までの予想取引件数を算出し、該予想取引件数が所定件数以下であると、前記寿命期限が間近となったと判断し、前記ＩＣカードの情報を新しいＩＣカードに書き込み、ＩＣカードの再発行を行う。
【０００８】
本発明の他の生体認証ＩＣカード対応自動化機器においては、さらに、前記寿命期限が間近となったＩＣカードの情報を消去し、前記寿命期限が間近となったＩＣカードを回収する。
【００１１】
本発明の更に他の生体認証ＩＣカード対応自動化機器においては、金融機関の顧客が操作して金融取引を行う自動化機器であって、生体認証情報が登録されたＩＣを備えるＩＣカードの情報の読み取り及び書き込みを行うＩＣカード取扱部と、前記顧客の生体認証情報を読み取る生体認証情報読取装置とを有し、前記顧客毎に、所定の期間の取引件数に基づいて前記ＩＣに登録された生体認証情報の有効期限までの予想取引件数を算出し、該予想取引件数が所定件数以下であると、前記有効期限が間近となったと判断し、前記ＩＣに登録された生体認証情報を前記生体認証情報読取装置が読み取った生体認証情報で更新する。
【００１４】
本発明の更に他の生体認証ＩＣカード対応自動化機器においては、さらに、前記ＩＣに登録された有効期限が間近となった生体認証情報を更新するか否かの確認を求める画面を表示する。
【発明の効果】
【００１５】
本発明によれば、生体認証ＩＣカード対応自動化機器においては、生体認証情報を格納したＩＣカードの更新又は再発行を行う手段を有する。そのため、顧客は、金融機関の支店等の窓口に出向くことなく、自分で自動化機器を操作することによって、随時、手軽に生体認証情報を格納したＩＣカードの更新又は再発行を行うことができる。
【発明を実施するための最良の形態】
【００１６】
以下、本発明の実施の形態について図面を参照しながら詳細に説明する。
【００１７】
図１は本発明の第１の実施の形態における自動化機器の構成を示すブロック図である。
【００１８】
図において、１０は本実施の形態における自動化機器であり、生体認証ＩＣカードに対応するものである。そして、前記自動化機器１０は、例えば、ＡＴＭ、ＣＤ等であり、銀行、郵便局、信用金庫等の金融機関の支店である営業店に配設され、前記金融機関の顧客が自分で操作して入金、出金、通帳記帳、残高照会、振込、振替、送金、定期性預金設定等の金融取引を行うための装置である。なお、前記顧客は、前記金融機関に自己の口座を開設し、該口座を使用して、各種金融に関するサービスを利用する者である。
【００１９】
また、前記自動化機器１０は、他の機能、例えば、チケット予約機能、商品購入申込み機能、クレジットカードの与信確認機能、施設情報案内機能等を有するキオスク端末のような多機能端末であってもよい。また、前記自動化機器１０は、前記金融機関の本店、支店等、コンビニエンスストア、スーパーマーケット、デパート等の商店の店舗、駅の構内、地下街、市役所、病院等の公共施設、工場、事務所等の私企業、駐車場、道路脇（わき）等の屋外など、いかなる場所に配設されてもよい。
【００２０】
ここで、前記自動化機器１０は、ＣＰＵ、ＭＰＵ等の演算手段、半導体メモリ、磁気ディスク等の記憶手段、通信手段等を備える一種のコンピュータであり、顧客操作部１１、ＩＣカード取扱部としてのＩＣカードリーダプリンタ１２、生体認証情報読取装置１３、ＩＣカード発行部１４及び主制御部１５を備える。
【００２１】
そして、前記顧客操作部１１は、キーボード、タッチパネル等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置、顧客の音声を入力するためのマイクロホン等の音声入力装置、音声案内を出力するためのスピーカ等の音声出力装置等を備える。なお、前記表示装置は、入力装置の機能を併せ持つタッチパネルであることが望ましい。前記顧客操作部１１は、顧客に対する操作誘導を行い、また、顧客の操作を受け付ける。
【００２２】
また、前記ＩＣカードリーダプリンタ１２は、顧客が保持するキャッシュカード等の媒体としてのＩＣカードに格納された情報の読み取り及び書き込みを行う。ここで、前記ＩＣカードは、金融機関等が顧客に対して発行した入金、出金、残高照会、振込、振替、送金等の金融取引を行うためのカードであり、ＩＣ及び磁気ストライプを備える。そして、顧客の本人確認を行うための生体認証情報が前記ＩＣにあらかじめ格納されている。前記生体認証情報は、例えば、アイリス、指紋、手のひら静脈パターン等であるが、生物学的特徴を利用して本人を確認することができるバイオメトリクス認証情報であればいかなる種類のものであってもよい。ここでは、前記生体認証情報が手のひら静脈パターンであるものとして説明する。この場合、手のひら静脈パターンを特徴化して暗号化し、前記ＩＣに登録することが望ましい。また、前記生体認証情報の有効期限やＩＣカード自体の寿命期限も前記ＩＣに格納されていることが望ましい。また、前記磁気ストライプには、顧客の氏名、口座番号、暗証番号等の情報が格納されている。
【００２３】
そして、前記ＩＣカードリーダプリンタ１２は、ＩＣカードが挿入されるカードスロットを備え、該カードスロット内には、ＩＣカードを搬送する搬送装置、及び、ＩＣカードの磁気ストライプやＩＣに格納された情報の読み取り、書き込み、消去等を行うための記録ヘッドが配設される。また、前記ＩＣカードリーダプリンタ１２は、取引明細票を発行する機能を備える。該取引明細票は、入金、出金、残高照会、振込、振替、送金等の顧客が行った金融取引に関する情報が印刷される紙片であり、口座番号、金融取引の種類、取引金額等が印刷される。なお、前記取引明細票は、顧客が希望したときだけに発行されるようにしてもよい。そして、前記ＩＣカードリーダプリンタ１２は、ＩＣカードを取り込み、ＩＣに登録されている生体認証情報を読み取り、生体認証情報読取装置１３が読み取った顧客の生体認証情報と照合し、顧客の本人確認を行う。一方、前記ＩＣカードリーダプリンタ１２は、前記ＩＣカードの磁気ストライプに対してデータの読み書きを行い、取引明細票に印字して出力する。
【００２４】
また、前記生体認証情報読取装置１３は、顧客の生体画像としての手のひら静脈パターンを撮影するための撮像手段を備える。そして、撮影した手のひら静脈パターンを特徴化して暗号化する。
【００２５】
さらに、前記ＩＣカード発行部１４は、新しいＩＣカードを発行する。なお、ＩＣカード発行部１４には、顧客の生体認証情報が書き込まれていないＩＣカードがあらかじめセットされている。
【００２６】
そして、前記主制御部１５は、前記顧客操作部１１、ＩＣカードリーダプリンタ１２、生体認証情報読取装置１３及びＩＣカード発行部１４を含む、自動化機器１０の各部の動作を統括的に制御する。
【００２７】
また、前記自動化機器１０は、図示されないカード一時保留部及びカード回収部を備える。前記カード一時保留部は、ＩＣカードリーダプリンタ１２のカードスロットに挿入されたＩＣカードを一時的に保留する。また、前記カード回収部は、カードスロットに挿入された旧いＩＣカードを取り込んで回収する。
【００２８】
さらに、前記自動化機器１０は、預金通帳等の通帳に記帳する図示されない通帳取扱部を有する。ここで、前記通帳は、金融機関が顧客に対して発行した預金通帳等の冊子状の通帳であり、入金、出金、通帳記帳、残高照会、振込、振替、送金等の金融取引の記録が印刷されるものである。なお、前記通帳の表紙又は裏表紙には、顧客の氏名、口座番号、暗証番号等の情報を格納する磁気ストライプを備える。さらに、前記情報を格納する記憶手段としては、前記磁気ストライプに代えて、通帳に埋め込まれたＩＣを使用することもできる。また、前記通帳取扱部は、通帳が挿入される媒体スロットとしての通帳スロットを備え、該通帳スロット内には、通帳を搬送する搬送装置、通帳に前記金融取引の記録を印刷する印字ヘッド、及び、通帳の磁気ストライプやＩＣに格納された情報の読み取り、上書き、消去等を行うための記録ヘッドが配設される。
【００２９】
また、前記自動化機器１０は、紙幣又は硬貨を取り扱う貨幣入出金部を有する。該貨幣入出金部は、入金等の金融取引において顧客が入金した現金を受け取りカウントするとともに、出金等の金融取引におて所定金額の紙幣又は硬貨を貨幣受取口から払い出す。なお、該貨幣受取口にはシャッタが配設され、該シャッタは、紙幣又は硬貨を払い出すときに開くようになっている。
【００３０】
さらに、前記自動化機器１０は、図示されないネットワークを介して、上位装置としての勘定系ホストコンピュータに通信可能に接続され、該勘定系ホストコンピュータと通信を行うことによって、入金、出金、通帳記帳、残高照会、振込、振替、送金等の金融取引の処理を実行する。
【００３１】
次に、前記構成の自動化機器１０の動作について説明する。
【００３２】
図２は本発明の第１の実施の形態における自動化機器の動作を示すフローチャートである。
【００３３】
まず、自動化機器１０は、顧客操作部１１の表示装置に取引選択画面を表示する。該取引選択画面は、入金、出金等の金融取引を選択することができるようになっている。そして、顧客が所望の金融取引を選択すると、自動化機器１０は、ＩＣカードリーダプリンタ１２にカードを挿入することを促す旨のメッセージを表示する。
【００３４】
続いて、顧客が自分の所持するカードをカードスロットに挿入すると、主制御部１５は、ＩＣカードリーダプリンタ１２を制御し、挿入されたカードがＩＣカードであるか否かを判断する。そして、挿入されたカードがＩＣカードでない場合、前記主制御部１５は、顧客操作部１１を制御して、磁気カード用取引処理を実行する。
【００３５】
また、挿入されたカードがＩＣカードである場合、前記主制御部１５は、顧客操作部１１を制御して生体認証誘導画面を表示させる。該生体認証誘導画面によって、生体認証情報読取装置１３の上に手のひらをかざすように、顧客を誘導する。そして、前記生体認証情報読取装置１３は、顧客の生体認証情報としての手のひら静脈パターンを適切に読み取る。前記生体認証情報読取装置１３が読み取った生体認証情報は、主制御部１５を経てＩＣカードリーダプリンタ１２に送られ、ＩＣ内に登録されている生体認証情報と照合され、一致するか否かが判断される。すなわち、生体認証がＯＫであるか否かが判断される。前記生体認証情報読取装置１３による生体認証情報の読み取りとＩＣカードリーダプリンタ１２による照合とは、照合の結果が一致するまで繰り返される。
【００３６】
そして、照合の結果は主制御部１５に送られる。照合の結果が一致していると、生体認証情報読取装置１３によって読み取られた生体認証情報を主制御部１５が記憶する。また、顧客操作部１１を制御して生体認証ＯＫ画面を表示させる。これにより、顧客は自分の生体認証情報の照合によって本人確認が行われたことを認識する。
【００３７】
続いて、主制御部１５は、ＩＣカードの寿命期限が間近であるか否かを判断する。なお、ＩＣカードの寿命期限が間近であるか否かの判断は、例えば、期限の所定日数前のように日付で判断してもよいし、また、取引データより月当たりの取引件数から期限までの予想取引件数を算出し、該予想取引件数が所定件数以下であることで判断してもよい。なお、前記所定日数及び所定件数は、主制御部１５によって設定することが可能である。そして、ＩＣカードの寿命期限が間近でない場合、主制御部１５は取引処理を実行し、取引選択画面で顧客が選択した金融取引の処理を実行する。
【００３８】
また、ＩＣカードの寿命期限が間近である場合、主制御部１５は、顧客操作部１１を制御してＩＣカード交換確認画面を表示させる。該ＩＣカード交換確認画面は、顧客に対してＩＣカードを交換するか否かの確認を求める画面、すなわち、ＩＣカードを交換することに同意を求める画面である。
【００３９】
そして、主制御部１５は、顧客がＩＣカード交換に同意したか否かを判断し、同意しない場合には、取引処理を実行し、取引選択画面で顧客が選択した金融取引の処理を実行する。また、顧客がＩＣカード交換に同意した場合、主制御部１５は、ＩＣカードリーダプリンタ１２を制御して、顧客が挿入したＩＣカードをカード一時保留部に退避させる。
【００４０】
続いて、主制御部１５は、ＩＣカード発行部１４を制御して、新しいＩＣカードをＩＣカードリーダプリンタ１２内においてＩＣカードの磁気ストライプやＩＣに格納された情報の読み取り、書き込み、消去等を行う位置にまで搬送させる。そして、主制御部１５が記憶した生体認証情報をＩＣカードリーダプリンタ１２に送ると、該ＩＣカードリーダプリンタ１２は、新しいＩＣカードに主制御部１５が記憶した生体認証情報を書き込む。
【００４１】
続いて、主制御部１５は、取引処理を実行し、取引選択画面で顧客が選択した金融取引の処理を実行する。そして、顧客操作部１１を制御してＩＣカードを交換したことを表示させる。続いて、主制御部１５は、ＩＣカードリーダプリンタ１２を制御して、新しいＩＣカードを顧客に返却させる。そして、主制御部１５は、ＩＣカードリーダプリンタ１２を制御して、カード一時保留部に退避させたＩＣカード、すなわち、旧いＩＣカードの生体認証情報を消去させ、その後、旧いＩＣカードをカード回収部に取り込ませて、処理を終了する。
【００４２】
次に、フローチャートについて説明する。
ステップＳ１  取引選択画面を表示する。
ステップＳ２  カードを挿入する。
ステップＳ３  ＩＣカードであるか否かを判断する。ＩＣカードでない場合はステップＳ４に進み、ＩＣカードである場合はステップＳ５に進む。
ステップＳ４  磁気カード用取引処理を実行する。
ステップＳ５  生体認証誘導画面を表示する。
ステップＳ６  生体認証がＯＫであるか否かを判断する。生体認証がＯＫである場合はステップＳ７に進み、生体認証がＯＫでない場合はそのまま待機する。
ステップＳ７  生体認証情報を主制御部１５が記憶する。
ステップＳ８  生体認証ＯＫ画面を表示する。
ステップＳ９  ＩＣカードの寿命期限が間近であるか否かを判断する。ＩＣカードの寿命期限が間近でない場合はステップＳ１０に進み、ＩＣカードの寿命期限が間近である場合はステップＳ１１に進む。
ステップＳ１０  取引処理を実行する。
ステップＳ１１  ＩＣカード交換確認画面を表示する。
ステップＳ１２  ＩＣカード交換に同意したか否かを判断する。ＩＣカード交換に同意しない場合はステップＳ１３に進み、ＩＣカード交換に同意した場合はステップＳ１４に進む。
ステップＳ１３  取引処理を実行する。
ステップＳ１４  顧客が挿入したＩＣカードをカード一時保留部に退避する。
ステップＳ１５  新しいＩＣカードに主制御部１５が記憶した生体認証情報を書き込む。
ステップＳ１６  取引処理を実行する。
ステップＳ１７  ＩＣカードを交換したことを表示する。
ステップＳ１８  新しいＩＣカードを顧客に返却する。
ステップＳ１９  旧いＩＣカードの生体認証情報を消去する。
ステップＳ２０  旧いＩＣカードを回収部に取り込み、処理を終了する。
【００４３】
このように、本実施の形態において、自動化機器１０は、寿命期限が間近となったＩＣカードの情報を新しいＩＣカードに書き込み、ＩＣカードの再発行を行うようになっている。すなわち、新しいＩＣカードを発行するとともに、旧いＩＣカードのＩＣに登録された生体認証情報を消去して旧いＩＣカードを回収することができる。そのため、顧客は、金融機関の支店等の窓口に出向くことなく、自分で自動化機器１０を操作することによって、ＩＣカードの再発行を行うことができる。
【００４４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４５】
図３は本発明の第２の実施の形態における自動化機器の構成を示すブロック図である。
【００４６】
図に示されるように、本実施の形態における自動化機器１０では、ＩＣカード発行部１４が省略されている。なお、その他の点の構成については、前記第１の実施の形態と同様であるので、説明を省略する。
【００４７】
次に、本実施の形態における自動化機器１０の動作について説明する。
【００４８】
図４は本発明の第２の実施の形態における自動化機器の動作を示すフローチャートである。
【００４９】
まず、自動化機器１０は、顧客操作部１１の表示装置に取引選択画面を表示する。該取引選択画面は、入金、出金等の金融取引を選択することができるようになっている。そして、顧客が所望の金融取引を選択すると、自動化機器１０は、ＩＣカードリーダプリンタ１２にカードを挿入することを促す旨のメッセージを表示する。
【００５０】
続いて、顧客が自分の所持するカードをカードスロットに挿入すると、主制御部１５は、ＩＣカードリーダプリンタ１２を制御し、挿入されたカードがＩＣカードであるか否かを判断する。そして、挿入されたカードがＩＣカードでない場合、前記主制御部１５は、顧客操作部１１を制御して、磁気カード用取引処理を実行する。
【００５１】
また、挿入されたカードがＩＣカードである場合、前記主制御部１５は、顧客操作部１１を制御して生体認証誘導画面を表示させる。該生体認証誘導画面によって、生体認証情報読取装置１３の上に手のひらをかざすように、顧客を誘導する。そして、前記生体認証情報読取装置１３は、顧客の生体認証情報としての手のひら静脈パターンを適切に読み取る。前記生体認証情報読取装置１３が読み取った生体認証情報は、主制御部１５を経てＩＣカードリーダプリンタ１２に送られ、ＩＣ内に登録されている生体認証情報と照合され、一致するか否かが判断される。すなわち、生体認証がＯＫであるか否かが判断される。前記生体認証情報読取装置１３による生体認証情報の読み取りとＩＣカードリーダプリンタ１２による照合とは、照合の結果が一致するまで繰り返される。
【００５２】
そして、照合の結果は主制御部１５に送られる。照合の結果が一致していると、生体認証情報読取装置１３によって読み取られた生体認証情報を主制御部１５が記憶する。また、顧客操作部１１を制御して生体認証ＯＫ画面を表示させる。これにより、顧客は自分の生体認証情報の照合によって本人確認が行われたことを認識する。
【００５３】
続いて、主制御部１５は、生体認証情報の有効期限が間近であるか否かを判断する。なお、生体認証情報の有効期限が間近であるか否かの判断は、例えば、期限の所定日数前のように日付で判断してもよいし、また、取引データより月当たりの取引件数から期限までの予想取引件数を算出し、予想取引件数が所定件数以下であることで判断してもよい。なお、前記所定日数及び所定件数は、主制御部１５によって設定することが可能である。そして、生体認証情報の有効期限が間近でない場合、主制御部１５は取引処理を実行し、取引選択画面で顧客が選択した金融取引の処理を実行する。
【００５４】
また、生体認証情報の有効期限が間近である場合、主制御部１５は、顧客操作部１１を制御してＩＣカード更新確認画面を表示させる。該ＩＣカード更新確認画面は、顧客に対してＩＣカードを更新するか否かの確認を求める画面、すなわち、ＩＣカードを更新することに同意を求める画面である。
【００５５】
そして、主制御部１５は、顧客がＩＣカード更新に同意したか否かを判断し、同意しない場合には、取引処理を実行し、取引選択画面で顧客が選択した金融取引の処理を実行する。また、顧客がＩＣカード更新に同意した場合、主制御部１５が記憶した生体認証情報をＩＣカードリーダプリンタ１２に送ると、該ＩＣカードリーダプリンタ１２は、主制御部１５が記憶した生体認証情報でＩＣカード内の情報を更新する。この場合、ＩＣに登録された生体認証情報が更新される。
【００５６】
続いて、主制御部１５は、取引処理を実行し、取引選択画面で顧客が選択した金融取引の処理を実行する。そして、顧客操作部１１を制御してＩＣカードを更新したことを表示させる。続いて、主制御部１５は、ＩＣカードリーダプリンタ１２を制御して、更新したＩＣカードを顧客に返却させ、処理を終了する。
【００５７】
次に、フローチャートについて説明する。
ステップＳ２１  取引選択画面を表示する。
ステップＳ２２  カードを挿入する。
ステップＳ２３  ＩＣカードであるか否かを判断する。ＩＣカードでない場合はステップＳ２４に進み、ＩＣカードである場合はステップＳ２５に進む。
ステップＳ２４  磁気カード用取引処理を実行する。
ステップＳ２５  生体認証誘導画面を表示する。
ステップＳ２６  生体認証がＯＫであるか否かを判断する。生体認証がＯＫである場合はステップＳ２７に進み、生体認証がＯＫでない場合はそのまま待機する。
ステップＳ２７  生体認証情報を主制御部１５が記憶する。
ステップＳ２８  生体認証ＯＫ画面を表示する。
ステップＳ２９  生体認証情報の有効期限が間近であるか否かを判断する。生体認証情報の有効期限が間近でない場合はステップＳ３０に進み、生体認証情報の有効期限が間近である場合はステップＳ３１に進む。
ステップＳ３０  取引処理を実行する。
ステップＳ３１  ＩＣカード更新確認画面を表示する。
ステップＳ３２  ＩＣカード更新に同意したか否かを判断する。ＩＣカード更新に同意しない場合はステップＳ３３に進み、ＩＣカード更新に同意した場合はステップＳ３４に進む。
ステップＳ３３  取引処理を実行する。
ステップＳ３４  記憶した生体認証情報でＩＣカード内の情報を更新する。
ステップＳ３５  取引処理を実行する。
ステップＳ３６  ＩＣカードを更新したことを表示する。
ステップＳ３７  更新したＩＣカードを顧客に返却し、処理を終了する。
【００５８】
このように、本実施の形態においては、自動化機器１０は、ＩＣに登録された有効期限が間近となった生体認証情報を生体認証情報読取装置１３が読み取った生体認証情報で更新する。すなわち、ＩＣカードのＩＣに登録された生体認証情報を更新することができるようになっている。そのため、顧客は、金融機関の支店等の窓口に出向くことなく、自分で自動化機器１０を操作することによって、ＩＣカードの更新を行うことができる。また、ＩＣカードを再利用することができる。
【００５９】
なお、前記第１及び第２の実施の形態においては、生体認証情報が手のひら静脈パターンであるものとして説明したが、生体認証情報は手のひら静脈パターンに限定されるものではない。
【００６０】
また、ＩＣカードの寿命期限又は生体認証情報の有効期限を判断して更新するものと説明したが、更新する判断の対象は、ＩＣカードの寿命期限又は生体認証情報の有効期限に限定されるものではなく、更新を顧客の判断によって行うように誘導してもよい。
【００６１】
さらに、ＩＣカードの寿命期限又は生体認証情報の有効期限が間近である場合、顧客の同意を得られたときにのみ交換又は更新を行うものとして説明したが、必ずしも顧客の同意を必要とするものではなく、自動的に交換又は更新を行うこともできる。
【００６２】
さらに、旧いＩＣカードを新しいＩＣカードに交換したことを顧客操作部１１に表示するものとして説明したが、必ずしも表示を必要するものではない。
【００６３】
なお、本発明は前記実施の形態に限定されるものではなく、本発明の趣旨に基づいて種々変形させることが可能であり、それらを本発明の範囲から排除するものではない。
【図面の簡単な説明】
【００６４】
【図１】本発明の第１の実施の形態における自動化機器の構成を示すブロック図である。
【図２】本発明の第１の実施の形態における自動化機器の動作を示すフローチャートである。
【図３】本発明の第２の実施の形態における自動化機器の構成を示すブロック図である。
【図４】本発明の第２の実施の形態における自動化機器の動作を示すフローチャートである。
【符号の説明】
【００６５】
１０    自動化機器
１２    ＩＣカードリーダプリンタ
１３    生体認証情報読取装置
【図１】
0005114868.tif 000002
【図２】
0005114868.tif 000003
【図３】
0005114868.tif 000004
【図４】
0005114868.tif 000005